【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
観察光路と照明光路を含み、正立の落射照明の顕微鏡システムであって、
対物レンズと、
前記観察光路と照明光路の共通部分にあり、前記対物レンズの焦点面と共役な位置に配置された視野絞り径が可変な視野絞りと、
前記視野絞りの上方の光路上に配置された標本の拡大像を撮像する撮像素子と、
前記対物レンズと前記撮像素子の間の光路上に配置された連続的に自身の倍率を変更するズーム変倍装置と、
前記視野絞りの前記視野絞り径及び前記ズーム変倍装置の前記倍率を制御する制御装置と、を含み、
前記制御装置は、前記ズーム変倍装置の前記倍率を制御することにより、前記撮像素子の長さを前記焦点面から前記撮像素子までの投影倍率で割った値として定義される前記視野径を制御し、かつ、前記視野径に対して前記視野絞り径が常に大きい状態を維持するように前記視野絞り径を制御することを特徴とする顕微鏡システム。
【請求項２】
前記制御装置は、
前記視野絞りを全開に開く第一の動作を開始させ、
前記第一の動作開始から第一の待機時間経過後に、前記ズーム変倍装置により前記倍率を変化させる第二の動作を開始させ、
前記第二の動作の開始から第二の待機時間経過後に、前記視野絞りを閉じる第三の動作を開始させることを特徴とする請求項１に記載の顕微鏡システム。
【請求項３】
前記第一の待機時間は前記第二の待機時間よりも短いことを特徴とする請求項２に記載の顕微鏡システム。
【請求項４】
前記視野絞り径が変化する第一の速度と、前記ズーム変倍装置が倍率を変更することによる前記視野径が変化する第二の速度とを比較する比較手段をさらに備え、
前記比較手段は、前記ズーム変倍装置により倍率が変更されるとき、前記ズーム変倍装置と前記視野絞りとの動作開始順序を判断することを特徴とする請求項１に記載の顕微鏡システム。
【請求項５】
前記比較手段は、前記制御装置に含まれることを特徴とする請求項４に記載の顕微鏡システム。
【請求項６】
前記ズーム変倍装置により倍率が上昇する場合において、
前記比較手段により、
前記第一の速度が前記第二の速度よりも速い場合と判断された場合は、前記ズーム変倍装置の動作を開始させ、その後、前記視野絞りの動作を開始させて、
前記第一の速度が前記第二の速度と同じまたは遅いと判断された場合は、前記ズーム変倍装置の動作と前記視野絞りの動作を同時に開始させることを特徴とする請求項４に記載の顕微鏡システム。
【請求項７】
前記ズーム変倍装置により倍率が低下する場合において、
前記比較手段により、
前記第一の速度が前記第二の速度よりも速い場合と判断された場合は、前記ズーム変倍装置の動作と前記視野絞りの動作を同時に開始させ、
前記第一の速度が前記第二の速度と同じまたは遅いと判断された場合は、前記視野絞りの動作を開始させ、その後、前記ズーム変倍装置の動作を開始させることを特徴とする請求項４に記載の顕微鏡システム。
【請求項８】
前記ズーム変倍装置により倍率が上昇する場合において、
前記制御装置は、前記視野絞りの動作を低速化した後に、前記視野絞りの動作と前記ズーム変倍装置の動作を開始させることを特徴とする請求項１に記載の顕微鏡システム。
【請求項９】
前記ズーム変倍装置により倍率が低下する場合において、
前記制御装置は、前記ズーム変倍装置の動作を低速化した後に、前記視野絞りの動作と前記ズーム変倍装置の動作を開始させることを特徴とする請求項１に記載の顕微鏡システム。
【請求項１０】
前記視野絞りの開口の長辺の長さａは、前記視野絞りから前記撮像素子までの総合倍率をβとし、
前記撮像素子の長辺の長さをｂとし、１より大きくかつ１．５以下の補正係数をｋとしときに、
ａ＝（ｂ／β）×ｋであることを特徴とする請求項１から請求項９の何れかに記載の顕微鏡システム。
【請求項１１】
前記顕微鏡システムに固有のデータが予め格納された記憶装置と、
演算装置と、を備え、
前記制御装置は、前記記憶装置と前記演算装置との間でデータの送受信を行うことを特徴とする請求項１から請求項１０の何れかに記載の顕微鏡システム。
【請求項１２】
顕微鏡システムの倍率を変更する変倍方法であって、
前記倍率を変更する方向を判断する第一のステップと、
予め設定されている動作開始後に視野絞り径が変化する速度と前記倍率に応じて予め設定されている動作開始後に視野径が変化する速度のいずれかを、前記予め設定されている速度よりも遅く設定する第二のステップと、
前記視野絞り径を変化させる動作と前記視野径を変化させる動作を同時に開始する第三のステップと、を含み、
前記倍率を変更する方向が前記倍率を高くする方向の場合、前記動作開始後に前記視野絞り径が変化する速度を、前記予め設定されている前記視野絞り径が変化する速度よりも遅く設定し、
前記倍率を変更する方向が前記倍率を低くする方向の場合、前記動作開始後に前記視野径が変化する速度を、前記倍率に応じて予め設定されている前記視野径が変化する速度よりも遅く設定することを特徴とする変倍方法。
【手続補正２】
【補正対象書類名】明細書
【補正対象項目名】０００８
【補正方法】変更
【補正の内容】
【０００８】
上記目的を達成するため、本発明に係る顕微鏡システムは、観察光路と照明光路を含み、正立の落射照明の顕微鏡システムであって、対物レンズと、前記観察光路と照明光路の共通部分にあり、前記対物レンズの焦点面と共役な位置に配置された視野絞り径が可変な視野絞りと、前記視野絞りの上方の光路上に配置された標本の拡大像を撮像する撮像素子と、前記対物レンズと前記撮像素子の間の光路上に配置された連続的に自身の倍率を変更するズーム変倍装置と、前記視野絞りの前記視野絞り径及び前記ズーム変倍装置の前記倍率を制御する制御装置と、を含み、前記制御装置は、前記ズーム変倍装置の前記倍率を制御することにより、前記撮像素子の長さを前記焦点面から前記撮像素子までの投影倍率で割った値として定義される前記視野径を制御し、かつ、前記視野径に対して前記視野絞り径が常に大きい状態を維持するように前記視野絞り径を制御することを特徴とする。
【手続補正３】
【補正対象書類名】明細書
【補正対象項目名】０００９
【補正方法】変更
【補正の内容】
【０００９】
また、本発明に係る変倍方法は、顕微鏡システムの倍率を変更する変倍方法であって、前記倍率を変更する方向を判断する第一のステップと、予め設定されている動作開始後に視野絞り径が変化する速度と前記倍率に応じて予め設定されている動作開始後に視野径が変化する速度のいずれかを、前記予め設定されている速度よりも遅く設定する第二のステップと、前記視野絞り径を変化させる動作と前記視野径を変化させる動作を同時に開始する第三のステップと、を含み、前記倍率を変更する方向が前記倍率を高くする方向の場合、前記動作開始後に前記視野絞り径が変化する速度を、前記予め設定されている前記視野絞り径が変化する速度よりも遅く設定し、前記倍率を変更する方向が前記倍率を低くする方向の場合、前記動作開始後に前記視野径が変化する速度を、前記倍率に応じて予め設定されている前記視野径が変化する速度よりも遅く設定することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】